(57)【特許請求の範囲】
【請求項１】
液体を貯留する貯留器及び貯留器内の液体を毛細管現象により貯留器外へ搬送する搬送体を具備し、前記搬送体に電圧が印加された場合、搬送体によって搬送された液体を静電的に霧化する静電霧化器と、
筒状の筐体と、
該筐体内の一端側に配設してあり、生起した風を筐体の他端から送出させる送風手段とを備え、
前記静電霧化器又は搬送体は交換自在になしてあり、
前記静電霧化器は、筒状のホルダ、前記貯留器及び搬送体とを含み、搬送体を介して発生させたミストを吐出するように構成してあり、
前記筐体の送風手段と筐体の他端との間の適宜位置に、静電霧化器を取り付けるための取付部が設けてあり、この取付部に静電霧化器が着脱可能に取り付けてあり、
前記ホルダの吐出口周縁に吐出口を開閉する開閉蓋が配設してあり、該開閉蓋には前記送風手段が生起した風を受ける受部が設けてあり、開閉蓋は、前記受部が送風手段からの風を受けた場合は開動し、送風手段からの風が停止した場合は閉動するようにしてある送風装置。
【請求項２】
液体を貯留する貯留器及び貯留器内の液体を毛細管現象により貯留器外へ搬送する搬送体を具備し、前記搬送体に電圧が印加された場合、搬送体によって搬送された液体を静電的に霧化する静電霧化器と、
筒状の筐体と、
該筐体内の一端側に配設してあり、生起した風を筐体の他端から送出させる送風手段とを備え、
前記静電霧化器又は搬送体は交換自在になしてあり、
前記静電霧化器は、筒状のホルダ、前記貯留器及び搬送体とを含み、搬送体を介して発生させたミストを吐出するように構成してあり、
前記筐体の送風手段と筐体の他端との間の適宜位置に、静電霧化器を取り付けるための取付部が設けてあり、この取付部に静電霧化器が着脱可能に取り付けてあり、
前記ホルダの吐出口周縁に吐出口を開閉する開閉蓋が配設してあり、ホルダには前記開閉蓋を開動させる開動手段が配設してあり、開閉蓋は、送風手段が動作している場合は前記開動手段によって開動され、送風手段が停止した場合は閉動するようにしてある送風装置。
【請求項３】
前記筐体の一端側外周面に把持部が設けてあり、
前記取付部は、前記筐体の中心軸から把持部側の適宜位置に設けてある
前記請求項１または２記載の送風装置。
【請求項４】
前記静電霧化器は取付部に、筐体の中心軸に直交し前記把持部を通る軸長方向において、  
搬送体より貯留器の方が前記把持部側に位置するように取り付けてある
前記請求項３記載の送風装置。
【請求項５】
前記ホルダの周壁に、ホルダ内の搬送体を目視するための窓が開設してある
前記請求項１ないし４のいずれかに記載の送風装置。
【請求項６】
前記ホルダに発光手段が設けてある
前記請求項１ないし５のいずれかに記載の送風装置。
【請求項７】
前記搬送体の先端は二股状になしてある
前記請求項１ないし６のいずれかに記載の送風装置。
【発明の詳細な説明】
【技術分野】
【０００１】
本発明は、静電霧化によって発生させた霧を生起した風にて給送する送風装置、及び該送風装置に適用する静電霧化器、並びに風を生起する本体及び複数の静電霧化器を交換可能に備える送風装置セットに関する。
【背景技術】
【０００２】
頭髪の乾燥及び／又はスタイリング等を行う送風装置にあっては、毛髪の表面に湿度を供給して乾燥処理中に毛髪表面が損傷することを低減すべく、液体を静電的に霧化する静電霧化器を備えるものが開発されている。そのような送風装置として後述する特許文献１には次のようなものが開示されている。
【０００３】
すなわち、送風装置は、送風するためのモータ及びファン、並びに加熱部を内蔵する本体に把持部を取り付けてなり、本体の筐体の外周面であって、本体の近傍の位置に２つの静電霧化器が、送風口の周方向へ１８０度距離を隔てて設けてある。
【０００４】
両静電霧化器はそれぞれ、筒状のブロック体の一端に液体を貯留するタンクを着脱可能に連結してなり、ブロック体の他端たる吐出口を本体の送風口側になし、ブロック体内を貫通する中心軸と前記本体内を貫通する中心軸とが平行になる姿勢になしてある。
【０００５】
前述したブロック体内には、多孔質性の材料を針状に成形してなり、前記タンクに貯留された液体を浸透させてブロック体へ搬送させる搬送体が、その尖鋭な先端部をブロック体の他端近傍まで延伸させ、その基端部を前記タンク内の適宜位置まで嵌入させた様態で配置してある。また、ブロック体内の一端近傍の位置には環状の印加電極が、前記搬送体に外嵌する様態で配設してあり、この印加電極から搬送体に高電圧を印加するようになっている。一方、前記ブロック体の吐出口には略環状の対向電極が、前記搬送体の先端部から適宜距離を隔てて取り付けてある。
【０００６】
搬送体にタンク内の液体が含浸されると搬送体は導電性を呈するが、この搬送体内の液体に印加電極から高電圧を印加すると、搬送体の尖鋭な先端部に電場が集中すると共に、先端部と対向電極との間に電界が生じる。そして、搬送体内をその先端部まで搬送された液体は、印加電圧によって表面が負イオン化された霧状の水滴として先端部から放出されると共に、前記電界を漂う間にレイリー分裂を繰り返す、所謂静電霧化によって、負イオンミストとなってブロック体の吐出口から吐出される。
【０００７】
かかる極微細な負イオンミストが、本体からの温風等によって表面が正に帯電した頭髪に付着して当該頭髪に吸収されるため、乾燥処理中に毛髪の表面が損傷を受けることが低減されると共に、毛髪に潤いを与えることができる。
【特許文献１】特開２００５−３０４９６１号公報
【発明の開示】
【発明が解決しようとする課題】
【０００８】
このような静電霧化器を備える送風装置では、タンクに貯留させた液体を積極的に霧化することができるので、ビタミンＣ又はアロマオイル等の物質を液媒体中に含む液体を用いることによって、水分による保湿に加えて、ユーザにとって好ましい新たな作用を与えるものの開発が要求されている。
【０００９】
しかしながら、前述したような従来の送風装置にあっては次のような問題があった。すなわち、前述した液体を用いた場合、送風装置の不使用時に当該液体が含浸された搬送体から液媒体が蒸発して前記物質が析出し、静電霧化器の搬送体に目詰まりが生じて静電霧化不良を生起する。搬送体に目詰まりが生じた場合、ユーザが自身でこれを解消することができないので、搬送体に目詰まりが生じることを回避するために、溶質を含有しない精製水等の液体しか用いることができず、従って、前述した要求に対応することができなかった。
【００１０】
本発明は、斯かる事情に鑑みてなされたものであって、静電霧化によってイオンミストを発生させる場合であっても、液媒体中に所要物質を含む液体を用いることができる送風装置、及び該送風装置に適用する静電霧化器、並びに風を生起する本体及び複数の静電霧化器を交換可能に備える送風装置セットを提供する。
【課題を解決するための手段】
【００１１】
（１）本発明に係る送風装置は、液体を貯留する貯留器及び貯留器内の液体を毛細管現象により貯留器外へ搬送する搬送体を具備し、前記搬送体に電圧が印加された場合、搬送体によって搬送された液体を静電的に霧化する静電霧化器と、筒状の筐体と、該筐体内の一端側に配設してあり、生起した風を筐体の他端から送出させる送風手段とを備え、前記静電霧化器又は搬送体は交換自在になしてあるものである。
【００１２】
例えば、静電霧化器を送風手段を内蔵する筐体に着脱自在に取り付けることによって、静電霧化器を交換自在になすことができる。一方、静電霧化器は筐体に固着しておき、搬送体を支持する支持部材に対して搬送体を着脱可能に取り付けておくことによって、搬送体を交換自在になすことができる。
【００１３】
このように本発明によれば、液体を貯留する貯留器及び貯留器内の液体を毛細管現象により貯留器外へ搬送する搬送体を具備し、前記搬送体に電圧が印加された場合、搬送体によって搬送された液体を静電的に霧化する静電霧化器と、筒状の筐体と、該筐体内の一端側に配設してあり、生起した風を筐体の他端から送出させる送風手段とを備え、前記静電霧化器又は搬送体は交換自在になしてあるため、搬送体に目詰まりが生じた場合であっても、ユーザが静電霧化器又は搬送体を容易に交換することができる。従って、静電霧化によってイオンミストを発生させる場合であっても、液媒体中に所要物質を含む液体を用いることができるという効果を奏する。
【００１４】
（２）本発明に係る送風装置は必要に応じて、前記静電霧化器は、筒状のホルダに前記貯留器及び搬送体を取り付け、搬送体を介して発生させた霧を吐出するように構成してあり、前記筐体の送風手段と筐体の他端との間の適宜位置に、静電霧化器を取り付けるための取付孔を開設してなる取付部が設けてあり、この取付部に静電霧化器が着脱可能に取り付けてあるものである。
【００１５】
取付部を構成する取付孔は、例えば、筐体の周壁を貫通する様態で開設してあり、この取付孔を貫通させる様態で、静電霧化器のホルダが取付孔に嵌入してあり、発生させた霧（イオンミスト）を筐体内へ吐出する。このとき、例えば、ホルダの外径を一端から他端へ向かうに連れて大きくしておいた場合、ホルダが筐体内の所定深さまで進入した状態で、ホルダが取付孔に嵌着される。また、ホルダの長手方向の所定位置にストッパ等を突設しておいてもよい。
【００１６】
このように本発明によれば、静電霧化器は、筒状のホルダに前記貯留器及び搬送体を取り付け、搬送体を介して発生させた霧を吐出するように構成してあり、前記筐体の送風手段と筐体の他端との間の適宜位置に、静電霧化器を取り付けるための取付孔を開設してなる取付部が設けてあり、この取付部に静電霧化器が着脱可能に取り付けてあるため、静電霧化器を容易に交換することができる。また、比較的簡単な構成で交換モジュールとしての静電霧化器を製造することができ、製造コストを可及的に廉価にすることができるという効果を有する。
【００１７】
（３）本発明に係る送風装置は必要に応じて、前記筐体の一端側外周面に把持部が設けてあり、前記取付部は、前記筐体の中心軸から把持部側の適宜位置に設けてあるものである。
いま、筐体の中心軸より把持部側を筐体の下部、筐体の中心軸より把持部とは反対側を筐体の上部とすれば、取付部は、筐体の下部の適宜位置に配設してある。
【００１８】
このように本発明によれば、筐体の一端側外周面に把持部が設けてあり、取付部は、前記筐体の中心軸から把持部側の適宜位置に設けてあるため、静電霧化器を筐体の中心軸より把持部とは反対側に配設した場合に比べて、把持部を把持して送風装置を使用した場合にユーザが体感する送風装置の重量（持ち重り）が小さい。従って、送風装置の操作性が向上するという効果を有する。
【００１９】
（４）本発明に係る送風装置は必要に応じて、前記静電霧化器は取付部に、筐体の中心軸に直交し前記把持部を通る軸長方向において、搬送体より貯留器の方が前記把持部側に位置するように取り付けてあるものである。
すなわち、静電霧化器は筐体の取付部に、搬送体が前述した筐体の上部側へ向かう傾斜姿勢で取り付けてある。
このように本発明によれば、静電霧化器は取付部に、筐体の中心軸に直交し前記把持部を通る軸長方向において、搬送体より貯留器の方が前記把持部側に位置するように取り付けてあるため、貯留器に貯留された液体の自重による漏出が防止されるという効果を有する。
【００２０】
（５）本発明に係る送風装置は必要に応じて、前記ホルダの吐出口周縁に吐出口を開閉する開閉蓋が配設してあり、該開閉蓋には前記送風手段が生起した風を受ける受部が設けてあり、開閉蓋は、前記受部が送風手段からの風を受けた場合は開動し、送風手段からの風が停止した場合は閉動するようにしてあるものである。
【００２１】
ホルダの吐出口を開閉する開閉蓋には、開閉蓋が閉姿勢の場合に、送風手段が生起した風に対して抵抗を生じるように例えば舌片を設けることによって受部が形成してあり、開閉蓋は付勢部材等によって、送風手段が停止している場合は閉姿勢に付勢されている。そして、開閉蓋は、受部が送風手段からの風を受けた場合、風の力によって開動し、送風手段からの風が停止した場合、閉動する。
【００２２】
このように本発明によれば、ホルダの吐出口周縁に吐出口を開閉する開閉蓋が配設してあり、該開閉蓋には前記送風手段が生起した風を受ける受部が設けてあり、開閉蓋は、前記受部が送風手段からの風を受けた場合は開動し、送風手段からの風が停止した場合は閉動するようにしてあるため、送風装置を使用していない場合に外気によって搬送体が乾燥することが防止され、乾燥による搬送体の目詰まりが回避されるという効果を有する。
【００２３】
（６）本発明に係る送風装置は必要に応じて、前記ホルダの吐出口周縁に吐出口を開閉する開閉蓋が配設してあり、ホルダには前記開閉蓋を開動させる開動手段が配設してあり、開閉蓋は、送風手段が動作している場合は前記開動手段によって開動され、送風手段が停止した場合は閉動するようにしてあるものである。
【００２４】
ホルダには例えばソレノイドを備えてなり、ホルダの吐出口を開閉する開閉蓋を開動させる開動手段が配設してあり、開閉蓋は付勢部材等によって、送風手段が停止している場合は閉姿勢に付勢されている。そして、開閉蓋は、送風手段が動作している場合は前記開動手段によって開動され、送風手段が停止した場合は閉動するようにしてある。
【００２５】
このように本発明によれば、ホルダの吐出口周縁に吐出口を開閉する開閉蓋が配設してあり、ホルダには前記開閉蓋を開動させる開動手段が配設してあり、開閉蓋は、送風手段が動作している場合は前記開動手段によって開動され、送風手段が停止した場合は閉動するようにしてあるため、送風装置を使用していない場合に外気によって搬送体が乾燥することが防止され、乾燥による搬送体の目詰まりが回避されるという効果を有する。
【００２６】
（７）本発明に係る送風装置は必要に応じて、前記ホルダの周壁に、ホルダ内の搬送体を目視するための窓が開設してあるものである。
窓は、ホルダの周壁であって搬送体の先端部に対向する部分に開設してあり、窓を通して、ホルダ内の搬送体を目視する。
【００２７】
このように本発明によれば、ホルダの周壁に、ホルダ内の搬送体を目視するための窓が開設してあるため、搬送体に含浸された液体からの析出によって搬送体に目詰まりが生じたか否かを、ホルダの外から目視によって容易に確認することができるという効果を有する。
【００２８】
（８）本発明に係る送風装置は必要に応じて、前記ホルダに発光手段が設けてあるものである。
前記発光手段として、発光ダイオードを用いることができる。この発光手段は、静電霧化器が作動された場合に発光するようにしてある。
このように本発明によれば、ホルダに発光手段が設けてあるため、静電霧化器が作動中であるか否かを発光手段によって報知することができるという効果を有する。
【００２９】
（９）本発明に係る送風装置は必要に応じて、前記搬送体の先端は二股状になしてあるものである。
例えば、三角屋根形の先端部中央を切欠することによって、搬送体の先端を二股状になし、２つの凸部と両凸部の間に凹部が設けてある。
【００３０】
このように本発明によれば、搬送体の先端は二股状になしてあるため、二股状の先端の間に液滴を保持することができ、搬送体の先端から液滴が落下することが防止されるという効果を有する。一方、防止尖端放電を２箇所で発生させることができるため、より多量の霧（イオンミスト）を発生することができるという効果も有する。
【００３１】
（１０）本発明に係る静電霧化器は、筒状の筐体、及び該筐体内の一端側に配設してあり、生起した風を筐体の他端から送出させる送風手段を具備する本体を備える送風装置に交換可能に取り付けられ、液体を貯留する貯留器及び貯留器内の液体を毛細管現象により搬送する搬送体を具備し、前記搬送体に電圧が印加された場合、搬送体によって搬送された液体を静電的に霧化する静電霧化器であって、筒状のホルダ内に前記貯留器及び搬送体を収納し、発生した霧をホルダの吐出口から吐出するように構成してあり、前記ホルダに発光手段が設けてあるものである。
【００３２】
筒状のホルダの一端側に貯留器を収納し、該貯留器内の液体を貯留器外へ搬送する搬送体をホルダ内に当該ホルダの他端開口に対向配置することによって、ホルダの他端開口を発生した霧の吐出口になす。このホルダに発光ダイオードといった発光手段が設けてある。そして、静電霧化器を本体に取り付け、静電霧化器を作動させた場合、発光手段が発光する。
【００３３】
このように本発明によれば、筒状の筐体、該筐体の一端側外周面に設けた把持部、及び前記筐体内の一端側に配設してあり、生起した風を筐体の他端から送出させる送風手段を具備する本体を備える送風装置に交換可能に取り付けられ、液体を貯留する貯留器及び貯留器内の液体を毛細管現象により搬送する搬送体を具備し、前記搬送体に電圧が印加された場合、搬送体によって搬送された液体を静電的に霧化する静電霧化器であって、筒状のホルダ内に前記貯留器及び搬送体を収納し、発生した霧をホルダの吐出口から吐出するように構成してあり、前記ホルダに発光手段が設けてあるため、ユーザが静電霧化器を容易に交換することができ、静電霧化によってイオンミストを発生させる場合であっても、液媒体中に所要物質を含む液体を用いることができるという効果を有する。
【００３４】
（１１）本発明に係る送風装置セットは、筒状の筐体、及び該筐体内の一端側に配設してあり、生起した風を筐体の他端から送出させる送風手段を具備する本体と、液体を貯留する貯留器及び貯留器内の液体を毛細管現象により搬送する搬送体を具備し、前記搬送体に電圧が印加された場合、搬送体によって搬送された液体を静電的に霧化する複数の静電霧化器とを備える送風装置セットであって、各静電霧化器はそれぞれ、筒状のホルダに前記貯留器及び搬送体を取り付け、搬送体を介して発生させた霧を吐出するように構成してあり、各ホルダ及び／又は貯留器にはそれぞれ、他のホルダ及び／又は他の貯留器と識別するための識別手段が設けてあり、前記筐体の送風手段と筐体の他端との間の適宜位置又は前記筐体の他端に着脱可能に取り付けたノズル内の適宜位置に、静電霧化器を取り付けるための取付孔を開設してなる取付部が設けてあり、この取付部に適宜の静電霧化器が着脱可能に取り付けられるようになっているものである。
【００３５】
送風装置セットは、筐体内に送風手段を内蔵する本体と、複数の静電霧化器とを備えており、本体に取り付けた静電霧化器は他の静電霧化器と交換し得るようになっている。従って、各静電霧化器の貯留器に異なる種類の液体を貯留させることができる。
【００３６】
各静電霧化器は、筒状のホルダに前記貯留器及び搬送体を取り付け、搬送体を介して発生させた霧を吐出するように構成してあり、各ホルダ及び／又は各貯留器にはそれぞれ、相異なる色を発光する発光手段、色、形状、文字又は図形等、他のホルダ及び／又は他の貯留器と識別するための識別手段が設けてある。
【００３７】
一方、本体の筐体又は該筐体に着脱可能に取り付けたノズルには、静電霧化器を取り付けるための取付孔を開設してなる取付部が設けてあり、この取付部に適宜の静電霧化器が着脱可能に取り付けられる。そして、静電霧化器が発生した霧（イオンミスト）は、送風手段が生起した風によって送風装置外へ送出される。
【００３８】
このように本発明によれば、筒状の筐体、及び該筐体内の一端側に配設してあり、生起した風を筐体の他端から送出させる送風手段を具備する本体と、液体を貯留する貯留器及び貯留器内の液体を毛細管現象により搬送する搬送体を具備し、前記搬送体に電圧が印加された場合、搬送体によって搬送された液体を静電的に霧化する複数の静電霧化器とを備える送風装置セットであって、各静電霧化器はそれぞれ、筒状のホルダに前記貯留器及び搬送体を取り付け、搬送体を介して発生させた霧を吐出するように構成してあり、各ホルダ及び／又は貯留器にはそれぞれ、他のホルダ及び／又は他の貯留器と識別するための識別手段が設けてあり、前記筐体の送風手段と筐体の他端との間の適宜位置又は前記筐体の他端に着脱可能に取り付けたノズル内の適宜位置に、静電霧化器を取り付けるための取付孔を開設してなる取付部が設けてあり、この取付部に適宜の静電霧化器が着脱可能に取り付けられるようになっているため、各静電霧化器の貯留器に異なる種類の液体を貯留させておき、用途に応じて、対応する種類の液体を貯留させた静電霧化器に交換して使用することができるという効果を有する。
【００３９】
このとき、各ホルダ及び／又は各貯留器にはそれぞれ、他のホルダ及び／又は他の貯留器と識別するための識別手段が設けてあるため、該識別手段によって、使用中の液体の種類を報知してユーザに識別させることができる。一方、任意の静電霧化器の搬送体に目詰まりが生じた場合、対応する種類の色を発光する発光手段が設けてある新たな静電霧化器に交換する。
【発明を実施するための最良の形態】
【００４０】
以下、本発明に係る送風装置の一例を図面に基づいて詳述する。
（本発明の第１の実施形態）
図１は、本発明に係る送風装置の模式的側断面図であり、図中、１は、温風を送出する本体、５は、該本体１に着脱可能に連結した静電霧化器である。また、図２は、図１に示した送風装置において本体１と静電霧化器５とを分離した状態を示す模式的側断面図である。本体１は、略円錐台筒形の筐体２の一端側外周面に把持部１５を傾動可能に取り付けてなり、把持部１５には、オン・オフ及び風量等の調節を行うための切替スイッチ１６が、把持部１５の長手方向へスライド自在に設けてある。また、把持部１５の端部から電源用コード１７が延出してあり、電源用コード１７を介して商用交流電圧が給電されるようになっている。
【００４１】
前述した筐体２内には、耐熱性枠状材を正面視が十字形に成形してなる支持部材２１が、当該支持部材２１の外側縁と筐体２との間に所要の間隙が生じるように配設してあり、支持部材２１の外側縁には、発熱部３を構成する電熱線状のヒータ３１が巻回してある。また、支持部材２１の前記筐体２の吸気口１１に対向する一端側にはモータ４１が、その駆動軸を吸気口１１側へ延伸させた様態で配設してあり、モータ４１の駆動軸にはファン４２が取り付けてある。これらモータ４１及びファン４２によって送風部４が構成されている。
【００４２】
筐体２の周面の送風口１２近傍であって、前記把持部１５とは略１８０度位置が異なる位置には、貯留した液体を尖端放電によりイオン化してイオンミストを発生させる静電霧化器５を取り付ける取付孔２２が、筐体２を発熱部３側から送風口１２側へ傾斜貫通する様態で開設してあり、該取付孔２２には静電霧化器５が、イオンミストを吐出する吐出口５８を前述した発熱部３と送風口１２との間に位置するように着脱可能に嵌入固定してある。
【００４３】
一方、筐体２の前記取付孔２２の近傍には、当該取付孔２２に取り付けた静電霧化器５に給電するための接続用凹部２３が配設してあり、該接続用凹部２３内には後述する対向端子２４が設けてある。また、筐体２の送風口１２の周縁部には、風向き・風束径等を調整する筒状のノズル１４が着脱可能に連結してある。
【００４４】
図３は、図１に示した静電霧化器５の模式的拡大側断面図である。図３に示した如く、静電霧化器５は、筒状のホルダ５７に一端を閉止してなる筒状のタンク５４を当該ホルダ５７の一端開口から、前記タンク５４の他端開口がホルダ５７の長手方向の適宜位置に位置するように内嵌固定してなり、ホルダ５７の他端開口部は斜断してイオンミストを吐出する吐出口５８にしてある。
【００４５】
タンク５４の他端開口にはキャップ５５が固着してあり、キャップ５５の略中央位置に開設した挿通孔には、フェルト又は多孔質セラミックス等の多孔質性の材料を針状に成形してなり、毛細管現象によりタンク５４内の液体を搬送する搬送体５２が、その尖鋭な先端部をキャップ５５から突出させ、その基端部をタンク５４内に進入させた状態で、水密状態を保持するように挿通固定してある。この搬送体５２の先端部内には補助電極５１が埋設してあり、補助電極５１及び搬送体５２によって電極部５０が構成されている。
【００４６】
また、ホルダ５７の周面であって該ホルダ５７の一端近傍の位置には、前述したタンク５４内に液体を注入するための注入孔５９が、ホルダ５７からタンク５４内に貫通する様態で開設してある。この注入孔５９には、タンク５４から液体が漏出することを防止すべく、止栓又は逆止弁（いずれも図示せず）を敷設するようになっている。
【００４７】
ホルダ５７の周面であって前記注入孔５９と対向する位置には棒状の接続部６１が、ホルダ５７の外周面から少し距離を隔ててホルダ５７の中心軸と平行に配してあり、接続部６１の一端部は支持部６０によってホルダ５７の一端部に支持されている。接続部６１の他端近傍の周面には板バネ状の端子６２が突設してある。この接続部６１を前述した接続用凹部２３に嵌入させると、接続部６１の端子６２が接続用凹部２３の対向端子２４に接続される。そして、対向端子２４に接続した接続部６１の端子６２を介して前記電極部５０に、後述する印加電圧生成回路８から高電圧が印加されるようになっている。
【００４８】
ところで、筐体２の前記取付孔２２の周縁には複数の係合部２２ａが突設してあり、各係合部２２ａがホルダ５７の外周面に突設した各受部５７ａ（図３ではその内の１対を示している）に係合して、ホルダ５７が筐体２から抜出することを防止してある。
【００４９】
図４は、図１に示した送風装置の駆動系の一例を示す電気回路図である。図４に示した如く、送風装置の送風部４には、前述した電源用コード１７（図１参照）から第１接点７１を介して商用交流電圧Ｖａが与えられるようになっており、第１接点７１は図１に示した切替スイッチ１６の第１段階のスライド操作でオンされるようになっている。送風部４には商用交流電圧Ｖａを全波整流するダイオードブリッジ４３が介装してあり、該ダイオードブリッジ４３で全波整流された直流電圧によってモータ４１が駆動される。
【００５０】
また、商用交流電圧Ｖａは発熱部３にも与えられるようになっている。発熱部３には、第２接点７２、ダイオード３２と並列接続された第３接点７３、及びヒータ３１が直列接続してあり、前述した切替スイッチ１６を第２段階のスライド操作して第２接点７２がオンした場合、ダイオード３２によって商用交流電圧Ｖａが半波整流されてヒータ３１に印加され、定格値の半分の電力でヒータ３１が発熱する。また、切替スイッチ１６を第３段階のスライド操作して第３接点７３もオンした場合、商用交流電圧Ｖａがそのままヒータ３１に印加され、定格値の電力でヒータ３１が発熱する。
更に、商用交流電圧Ｖａは図１に示した静電霧化器５に電圧を印加するための印加電圧生成回路８にも与えられるようになっている。
【００５１】
図５は、図４に示した印加電圧生成回路８の一例を示す電気回路図である。図５に示した如く、切替スイッチ１６（図１参照）のスライド操作によって第１接点７１がオンされると、商用交流電圧Ｖａが低圧整流回路８１に与えられるようになっている。低圧整流回路８１は、与えられた商用交流電圧Ｖａをダイオード８１０で半波整流した後、該ダイオード８１０と直列接続した抵抗８１１及びコンデンサ８１２によって積分して脈流電圧Ｖｂを生成し、それを表示回路８２及びパルス電圧発生回路８３にそれぞれ与える。
【００５２】
表示回路８２は、例えば図１に示した筐体２又は把持部１５に設けた発光ダイオード８２１を備えており、与えられた脈流電圧Ｖｂによって発光ダイオード８２１が点灯することによって静電霧化器５が作動中であることを報知する。
【００５３】
パルス電圧発生回路８３は、サイダック８３０と昇圧トランス８５の一次コイル８５１に直列的に接続されたコンデンサ８３１とを並列接続してなり、サイダック８３０は、印加電圧が所定値（例えば８０Ｖ）より低い場合はオフし、印加電圧が所定値を超えた場合はオンするようになっている。このサイダック８３０がオフの間、脈流電圧Ｖｂによりコンデンサ８３１が充電され、サイダック８３０がオンすると、コンデンサ８３１の充電電流がサイダック８３０及び一次コイル８５１を介して放電され、サイダック８３０が再びオフされる動作が周期的に繰り返され、これによって鋸波形のパルス電圧Ｖｃが昇圧トランス８５の一次コイル８５１に与えられる。
【００５４】
一次コイル８５１に与えられたパルス電圧Ｖｃは、昇圧トランス８５の一次コイル８５１と二次コイル８５２との巻線比に応じて昇圧され、当該二次コイル８５２と直列的に接続されたダイオード８７１及びコンデンサ８７２を備える高圧整流回路８７に与えられる。高圧整流回路８７は、二次コイル８５２から間欠的に出力される高電圧パルスを積分し、マイナス数ｋＶ程度の範囲で変動する負極性の高電圧Ｖｄを生成し、生成した高電圧Ｖｄを図１に示した静電霧化器５の補助電極５１に印加するようになっている。
なお、高電圧Ｖｄを生成するための回路構成は図５に示した構成に限定されるものではなく、他の周知の昇圧回路を使用する等、適宜変更してもよいことはいうまでもない。
【００５５】
高電圧Ｖｄが電極部５０に印加されると、搬送体５２の尖鋭な先端部に電場が集中し、尖端放電による電界が生じる。そして、搬送体５２をその先端部まで搬送された液体は、印加電圧によって表面が負イオン化された霧状の水滴として先端部から放出されると共に、前記電界を漂う間にレイリー分裂を繰り返す、所謂静電霧化によって、負イオンミストとなってホルダ５７の吐出口５８から筐体２内の送風口１２へ向かって吐出される。
【００５６】
そして、筐体２内の送風口１２を通ってノズル１４から送出された極微細な負イオンミストが、乾燥処理等によって表面が正に帯電した頭髪に付着して頭髪に吸収されるため、乾燥処理中に毛髪の表面が損傷を受けることが低減されると共に、毛髪に潤いを与えることができる。なお、静電霧化によって生成されたイオンミストの粒径は、例えばコロナ放電により雰囲気中の水分をイオン化させて生成したイオンミストの粒径より大きく、頭髪に給送された場合、当該頭髪に対する潤い効果が高い。
【００５７】
このような送風装置にあっては、ビタミン（例えばビタミンＣ）、殺菌作用、鎮痛作用又はアロマオイルを有する物質等の物質を水等の液媒体中に溶解又は乳化させた液体をタンク５４内に注入して静電霧化を行った場合、送風装置の不使用時に当該液体が含浸された搬送体５２から液媒体が蒸発して前記物質が析出し、搬送体５２に目詰まりが生じることがある。しかし、かかる場合であっても、前述した如く静電霧化器５は、本体１の筐体２の外周面に着脱可能に取り付けてあるため、当該静電霧化器５を新しい静電霧化器５に容易に交換することができる。従って、静電霧化によってイオンミストを発生させる場合であっても、液媒体中に所要物質を含む液体を用いることができる。
【００５８】
ところで、図１に示した搬送体５２に代えて次のような搬送体を用いることができる。
図６は他の搬送体を示す拡大斜視図である。図６に示した如く、搬送体５２は、ステンレス等の金属を用いてなる四角柱の長手方向の中途位置から一端へ向うに従ってその厚みを薄くして三角屋根形状になし、その先端部を二股の嘴形状に切欠させることによって、２つの凸部５２０ａ，５２０ａと凹部５２０ｂとが形成してある。かかる搬送体５２は、例えば四角柱状の基材の対向する両面にフォトリソグラフィー技術により所要のマスクを形成し、両マスク上から基材をエッチングすることにより製造することができる。たとえば、搬送体５２の上面形状、底面形状のマスクを用いて底面形状を掃引した立体形状を成形し、上面及び底面のマスクを残存させたままこの立体形状の先端部のみをマスクすることなくエッチング剤に浸水させることで２つの凸部５２０ａ、５２０ａ及び凹部５２０ｂを成形することができる。
【００５９】
更に、前記基材の対向する他の両面に搬送体５２の長手方向の全長に亘る細溝５２０ｃを、ハーフエッチング手法により設けておくことによって、細溝５２０ｃ内を液体が搬送体５２の基端から先端へ毛細管現象により搬送されるようにしてある。
このような搬送体５２を使用した静電霧化器にあっては、搬送体５２の両凸部５２０ａ，５２０ａから放電を生起させることができるため、一箇所から放電させる場合に比べてイオンミストの生成量が増大する。
一方、静電霧化器にイオンミストを発生させていない場合、搬送体５２にて搬送された液体が搬送体５２の先端に液滴となって現れることがあるが、かかる場合であっても、搬送体５２の先端に凹部５２０ｂが設けてあるため、当該液滴が表面張力により凹部５２０ｂに保持され、搬送体５２から落下することが防止される。
【００６０】
なお、凹部５２０ｂの表面に複数の細溝を形成した場合、液滴の保持力をさらに向上させることができる。
なお、前述したタンク５４内に、不織布又は綿等、液体を保持することができる保液材を充填しておいてもよい。
ところで、複数の静電霧化器５を予め準備しておくことによって、各静電霧化器５のタンク５４に異なる種類の液体を注入し、送風装置の使用目的に応じて、該当する種類の液体を注入した静電霧化器５を本体１に取り付けて所要のイオンミストを発生させる送風装置セットを構成することができる。
【００６１】
（本発明の第２の実施形態）
図７は本実施形態に係る送風装置を示す模式的側断面図であり、静電霧化器５の筐体２への取り付け位置を変更してある。また、図８は、図７に示した静電霧化器５の模式的拡大側断面図である。なお、両図中、図１及び図３に示した部分に対応する部分には同じ番号を付してその説明を省略する。
図７に示した如く、静電霧化器５は筐体２に、図１に示した静電霧化器５の取付位置とは筐体２の周方向へ略１８０度異なる位置、すなわち筐体２の周方向における把持部１５の取付位置と同じ位置であって、筐体２の送風口１２の近傍に取り付けてある。
【００６２】
ホルダ５７の周面の適宜位置には、搬送体５２のキャップ５５から突出した部分を目視するための窓５３が開設してあり、該窓５３内には樹脂材等を用いてなる透明体５３ａが嵌合固定してある。また、ホルダ５７の筐体２内に挿入させた周面であって、ホルダ５７を筐体２に取り付けた場合に、送風部４側に位置する部分の適宜位置には空気孔５６が貫通してある。
【００６３】
一方、静電霧化器５のホルダ５７の筐体２から突出した外周面であって、ホルダ５７を筐体２に取り付けた場合に、ノズル１４側に位置する部分の適宜位置には、前述した表示回路８２（図５参照）の発光ダイオード８２１が配設してある。そして、ホルダ５７の接続部６１の先端には、発光ダイオード８２１に給電するための他の端子６２ａが設けてあり、接続用凹部２３には当該他の端子６２ａに接続する対向端子２４ａが設けてある。
【００６４】
このような送風装置にあっては、静電霧化器５が筐体２の周方向における把持部１５の取付位置と同じ位置に取り付けてあるため、タンク５４内に貯留された液体が自重により搬送体５２から漏出することが防止される。また、本実施形態の送風装置では、静電霧化器５を筐体２の中心軸より把持部１５側に配設してあるため、図１に示した送風装置の場合のように、静電霧化器５を筐体２の中心軸より把持部１５とは反対側に配設した場合に比べて、把持部１５を把持して送風装置を使用した場合にユーザが体感する送風装置の重量（持ち重り）が小さい。従って、送風装置の操作性が向上する。
【００６５】
これらの効果は、前述した如く静電霧化器５を筐体２の中心軸より把持部１５側に配設することによって得られる。従って、本発明に係る送風装置における静電霧化器５の取付位置は、筐体２の周方向における把持部１５の取付位置と同じ位置に限定されるものではなく、筐体２の中心軸より把持部１５側であればよい。
【００６６】
一方、静電霧化器５のホルダ５７に発光ダイオード８２１が設けてあるため、ユーザが把持部１５を把持して送風装置を使用している際に、静電霧化器５が作動中であるか否かを容易に認識することができる。
【００６７】
また、ホルダ５７に設けた窓５３からホルダ５７内の搬送体５２の状態を目視することができるため、搬送体５２に含浸された液体中の物質が搬送体５２の表面に析出しているか否かを容易に確認することができる。そして、搬送体５２に含浸された液体中の物質が搬送体５２の表面に析出していた場合、前同様、当該静電霧化器５を新たな静電霧化器５に交換する。
【００６８】
ところで、前述した如く、複数の静電霧化器５を予め準備しておき、各静電霧化器５のタンク５４に異なる種類の液体を注入し、送風装置の使用目的に応じて、該当する種類の液体を注入した静電霧化器５を本体１に取り付けて所要のイオンミストを発生させる送風装置セットを構成することができる。この場合、各静電霧化器５のホルダ５７に設けた発光ダイオード８２１の発光色を互いに異ならせておくことによって、どの種類の液体を注入した静電霧化器５を使用しているのかをユーザに報知することができる。
【００６９】
また、発光ダイオード８２１の発光色を互いに異ならせおくことに代えて、各静電霧化器５のホルダ５７又はタンク５４の色を異ならせておいてもよく、異なる色のシールを貼着させておいてもよい。一方、各静電霧化器５のホルダ５７又はタンク５４の形状を互いに異ならせておいてもよく、また、貯留する液体を示唆する文字又は図形等をホルダ５７又はタンク５４に付しておいてもよい。
【００７０】
（本発明の第３の実施形態）
図９は本発明に係る他の静電霧化器の構成を示す模式的側断面図であり、ホルダ５７内に配設された搬送体５２の乾燥を防止すべく開閉蓋６５がホルダ５７に開閉可能に設けてある。図９中（ａ）は開閉蓋６５が閉じている状態を示しており、（ｂ）は開閉蓋６５が開いている状態を示している。なお、図中、図８に示した部分に対応する部分には同じ番号を付してその説明を省略する。
【００７１】
前述した如くホルダ５７の吐出口５８は斜断してあり、ホルダ５７の軸長方向の長さ寸法は接続部６１側から接続部６１とは周方向の反対側へ向かって漸次長くしてある。これによって、ホルダ５７には、相対的に長さ寸法が長い長辺部５７ｂと相対的に長さ寸法が短い短辺部５７ｃとが形成されている。
【００７２】
また、図９に示した如く、開閉蓋６５は、ホルダ５７の吐出口５８の外径と略同じ外径の板材を用いてなり、開閉蓋６５によってホルダ５７の吐出口５８を覆うようにしてある。この開閉蓋６５は、その一部をホルダ５７の長辺部５７ｂであって吐出口５８の周縁部に枢軸６８によって開閉可能に取り付けてあり、開閉蓋６５の吐出口５８に対向する面とは反対の面の適宜位置に、前述した送風部４（図７参照）によって生起された風を受ける舌片状の風受部６６が突設してある。前記枢軸６８にはばねといった付勢部材（図示せず）が取り付けてあり、該付勢部材によって開閉蓋６５はホルダ５７の吐出口５８を閉じる方向へ付勢されている。
【００７３】
このような静電霧化器５も、図１又は図７に示した如く、接続部６１が本体１の送風部４側になるように筐体２に取り付けられる。そのため、送風部４が停止している場合、又は静電霧化器５を本体１から取り外している場合、図９（ａ）に示した如く、前述した付勢部材の付勢によって開閉蓋６５がホルダ５７の吐出口５８を閉止するので、外気によって搬送体５２が乾燥することが防止される。
【００７４】
一方、送風部４が作動している場合、図９（ｂ）に示した如く、開閉蓋６５の風受部６６が送風部４によって生起された風を受けるので、前述した付勢部材の付勢に抗して開閉蓋６５が開き、搬送体５２からホルダ５７内に放出されたイオンミストが吐出口５８から吐出される。このとき、ホルダ５７に空気孔５６が開設してあるため、開閉蓋６５の開動作によってもホルダ５７内が陰圧になることが回避され、開動作を円滑に実行することができる。
【００７５】
ところで、図９に示した如く、搬送体５２のキャップ５５から突出した部分には、絶縁性樹脂材を筒状に成形してなる保護筒４５が外嵌してあり、該保護筒４５によって搬送体５２の周面からの蒸発を防止してある。
【００７６】
（本発明の第４の実施形態）
図１０は本発明に係る他の静電霧化器の構成を示す模式的側断面図であり、前同様、ホルダ５７内に配設された搬送体５２の乾燥を防止すべく開閉蓋６５がホルダ５７に開閉可能に設けてある。図１０中（ａ）は開閉蓋６５が閉じている状態を示しており、（ｂ）は開閉蓋６５が開いている状態を示している。なお、図中、図８に示した部分に対応する部分には同じ番号を付してその説明を省略する。
【００７７】
図１０に示した如く、ホルダ５７の吐出口５８の周縁部には、側断面視が略へ字状の開閉蓋６５が、前同様、枢軸６８によって軸支してあり、開閉蓋６５は枢軸６８に取り付け付勢部材（図示せず）によってホルダ５７の吐出口５８を閉じる方向へ付勢されている。ホルダ５７の吐出口５８近傍には、ソレノイド及び開閉蓋６５とのリンク手段を備え、開閉蓋６５を開動させる開動手段６９が配設してあり、前述した本体１の送風部４（いずれも図７参照）が作動した場合、開動手段６９も作動して開閉蓋６５を開動させ、送風部４が作動停止した場合、開動手段６９も作動停止するようになっている。
【００７８】
かかる開閉蓋６５を取り付けた静電霧化器５であっても、送風部４が停止している場合、又は静電霧化器５を本体１から取り外している場合、図１０（ａ）に示した如く、前述した付勢部材の付勢によって開閉蓋６５がホルダ５７の吐出口５８を閉止して、外気による搬送体５２の乾燥を防止する。一方、送風部４が作動している場合、図１０（ｂ）に示した如く、開動手段６９も作動して開閉蓋６５を開動させるので、付勢部材の付勢に抗して開閉蓋６５が開き、搬送体５２からホルダ５７内に放出されたイオンミストが吐出口５８から吐出される。
【００７９】
（本発明の第５の実施形態）
図１１は、本実施形態に係る送風装置の構成を示す模式的側断面図であり、筐体２の外周面に取り付けた静電霧化器５を開閉可能な収納部２５内に収納すると共に、静電霧化器５の搬送体５２を交換自在にしてある。また、図１２は、図１１に示した送風装置において収納部２５が開いた状態を示す模式的側断面図である。なお、両図中、図１に示した部分に対応する部分には同じ番号を付してその説明を省略する。また、図１３は、図１１に示した静電霧化器５の模式的分解斜視図である。
【００８０】
図１１に示した如く、筐体２の外周面であって筐体２の周方向の把持部１５とは略反対側の位置には、静電霧化器５が搬送体５２の先端を筐体２の送風口１２へ向けた姿勢で着脱可能に取り付けてあり、静電霧化器５はその周囲に配設した収納部２５内の略中央に収納されている。
【００８１】
この収納部２５は、逆カップ形状部材を筐体２の軸長方向の中央で分離して筐体２の送風口１２側に配された第１部材２６と、筐体２の吸気口１１側に配された第２部材２７とを備えている。第１部材２６及び第２部材２７は、筐体２の中心軸と直交する方向へ配設した枢軸２５ａ，２５ａによって軸支されており、図１２に示した如く、第１部材２６は筐体２の送風口１２側へ跳ね上がり、第２部材２７は筐体２の吸気口１１側へ跳ね上がるようにしてある。
【００８２】
第１部材２６の前記筐体２の送風口１２側の壁面には、静電霧化器５が発生したイオンミストを吐出する吐出口２６ａが開設してある。また、第１部材２６の搬送体５２の先端部周面に対向する部分には、搬送体５２を目視するための窓２６ｂが開設してあり、該窓２６ｂ内には透明体２６ｃが嵌着してある。
【００８３】
第１部材２６及び第２部材２７の側壁であって筐体２に対向する部分にはそれぞれ凸部２８，２８が設けてあり、筐体２の対応する部分にはそれぞれ前記凸部２８，２８が嵌入する凹部２８ａ，２８ａが設けてある。そして、第１部材２６及び第２部材２７が跳ね上がった場合、凸部２８，２８は対応する凹部２８ａ，２８ａから抜出し、第１部材２６及び第２部材２７が閉じた場合、凸部２８，２８は対応する凹部２８ａ，２８ａ内に嵌入するようになっている。両凹部２８ａ，２８ａ内には、対応する凸部２８，２８が嵌入した場合はオンし、対応する凸部２８，２８が抜出した場合はオフするスイッチ手段（図示せず）がそれぞれ配設してあり、両スイッチ手段がオンしているときは静電霧化器５に給電し得るが、少なくとも一方のスイッチ手段がオフしたときは静電霧化器５に給電し得ないようになっている。
【００８４】
本実施形態に係る静電霧化器５の搬送体５２は、図１３に示した如く、樹脂材料を柱状に成形してなる基部５２２と、フェルト又は多孔質性セラミックス等の多孔質材を用いてなる先端部５２１とを備えている。基部５２２の中心軸上には、所定直径の装着孔５２２ａが基部５２２を貫通する様態で開設してあり、基部５２２の外周面には毛細管現象により液体を搬送すべく基部５２２の両端に亘って設けた複数の細溝５２２ｂ，５２２ｂ，…が、基部５２２の周方向へ適宜の間隔で配してある。
【００８５】
装着孔５２２ａには補助電極５１の頭部５１１が、基部５２２の一端側から挿入されるようになっており、基部５２２の一端近傍には補助電極５１の脚部５１２を嵌入させるための切欠部５２２ｃが設けてある。そして、基部５２２の装着孔５２２ａに補助電極５１の頭部５１１を基部５２２の一端側から挿入させると共に、前記切欠部５２２ｃに補助電極５１の脚部５１２を嵌入させ、この基部５２２の一端を、一端が閉塞された筒状のタンク５４内に嵌入固定してある。
【００８６】
また、基部５２２の外周面の適宜位置には、図１１に示した筐体２に固定した台座部２９に突設された連結ピン２９ａ，２９ａに差し込むための差込孔が設けてあり、基部５２２の差込孔を連結ピン２９ａ，２９ａに差し込んで、静電霧化器５が台座部２９に着脱可能に取り付けられている。
【００８７】
一方、前述した先端部５２１は、円錐形の頭部５２１ａの底部中央に円柱状の脚部５２１ｂを垂設してなり、頭部５２１ａの底部の直径は前記基部５２２の外径と同じ寸法に、また脚部５２１ｂの直径は前記基部５２２の装着孔５２２ａの直径と同じ寸法にしてある。また、脚部５２１ｂの底部中央には、補助電極５１の頭部５１１を差し込む差込凹部５２１ｃが設けてある。そして、先端部５２１は、脚部５２１ｂを基部５２２の装着孔５２２ａ内に基部５２２の他端側から、頭部５２１ａが基部５２２に当接するまで挿入してあり、このとき、先端部５２１の脚部５２１ｂに設けた差込凹部５２１ｃに補助電極５１の頭部５１１が差し込まれるようになっている。これによって先端部５２１が基部５２２に交換自在に装着してある。
【００８８】
このような、静電霧化器５にあっては、タンク５４に貯留された液体は、タンク５４内に嵌入された基部５２２の細溝５２２ｂ，５２２ｂ，…によって基部５２２の一端から他端へ搬送され、基部５２２の他端に装着された先端部５２１内に含浸される。そして、先端部５２１内を毛細管現象によりその尖端へ搬送される。先端部５２１に液体が含浸されると先端部５２１は導電性を呈し、先端部５２１内に差し込まれた補助電極５１と共に電極部を構成する。この電極部に前述した印加電圧生成回路８（図４参照）から高電圧Ｖｄが印加されるようになっており、これによって前同様、イオンミストが発生される。このイオンミストは、筐体２内の送風口１２を通ってノズル１４から送出された風に引き寄せられながら運ばれ、ユーザの頭髪に供給される。
【００８９】
このとき、基部５２２は細溝５２２ｂ，５２２ｂ，…によってタンク５４内の液体を搬送するため、粘性が比較的高い液体を用いた場合であっても、多孔質材を用いた場合に比べて目詰まりが生じ難い。また、基部５２２は樹脂といった剛体で形成してあるため、細溝５２２ｂ，５２２ｂ，…に目詰まりが生じた場合であっても、静電霧化器５を本体１の筐体２から取り外し、更にタンク５４、先端部５２１を基部５２２から取り外して、基部５２２の細溝５２２ｂ，５２２ｂ，…を洗浄することによって、当該目詰まりを解消することができる。
一方、先端部５２１に目詰まりが生じた場合、当該先端部５２１を新たな先端部に容易に交換することができる。
【００９０】
図１２に示した如く、静電霧化器５を収納する収納部２５の第１部材２６及び第２部材２７は、各別に跳ね上げ姿勢に開くことができる。従って、前述した先端部５２１の交換は、第１部材２６を開くことによって、容易に行うことができる。また、前述した静電霧化器５の取り外しは、第１部材２６及び第２部材２７を開くことによって容易に行うことができる。
【００９１】
このとき、前述したように、第１部材２６及び第２部材２７に設けた凸部２８，２８の少なくとも一方が筐体２の凹部２８ａ，２８ａから抜出した場合、静電霧化器５に給電し得ないようになっているため、先端部５２１の交換作業、又は静電霧化器５の取り外し作業を安全に行うことができる。
【００９２】
（本発明の第６の実施形態）
図１４は本発明に係る他の電極部の構成を示す模式的分解斜視図であり、図１５は当該電極部の模式的縦断面図である。電極部５０は、樹脂といった剛体よりなる柱状の基部５２３と、フェルト又は多孔質性セラミックス等の多孔質材を用いてなり、前記基部５２３を内部に収納させる先端部５２４とを備えている。基部５２３の中心軸上には補助電極５１を挿入させる挿入孔５２３ａが開設してあり、補助電極５１は挿入孔５２３ａ内を貫通させてある。また、基部５２３には、前同様、切欠部５２３ｂ及び差込孔も設けてある。
【００９３】
一方、先端部５２４は前記基部５２３の外寸より大きい外寸の筒体の一端を尖鋭に成形してなり、先端部５２４の他端から一端側の所定位置に亘って前記基部５２３を収納させる収納穴５２４ａが開設してある。この収納穴５２４ａの終端中央には差込凹部５２４ｂが設けてあり、補助電極５１の先端部が差し込まれるようになっている。
【００９４】
そして、電極部５０は、補助電極５１を挿入孔５２３ａ内を貫通させた基部５２３に先端部５２４を外嵌させて、先端部５２４を収納穴５２４ａ内に基部５２３を収納すると共に、補助電極５１の基部５２３から突出した部分を、先端部５２４の差込凹部５２４ｂに差し込むことによって、先端部５２４が交換自在に構成されている。
このような電極部５０にあっては、先端部５２４に目詰まりが生じた場合、当該先端部５２４を新たな先端部５２４に容易に交換することができる。
【００９５】
（本発明の第７の実施形態）
図１６は、第７の実施の形態に係る送風装置を示す模式的側断面図であり、本体１に着脱可能に取り付けられたノズル１４に静電霧化器５が交換自在に配設してある。また、図１７は、図１６に示した送風装置の分解斜視である。なお、両図中、図１に示した部分に対応する部分には同じ番号を付してその説明を省略する。
【００９６】
図１６及び図１７に示した如く、筐体２の送風口１２周縁には嵌合凹部１２１が設けてあり、ノズル１４の送入口１４２の周縁には前記嵌合凹部１２１に係合する嵌合凸部１４３が設けてある。そして、ノズル１４の嵌合凸部１４３を筐体２の嵌合凹部１２１に嵌着させて、ノズル１４が筐体２に着脱可能に取り付けてある。
【００９７】
ノズル１４内には、筒状の取付部２０がノズル１４の中心軸上に配してあり、取付部２０はノズル１４の内周面から延設したリブ１４１，１４１，…によって支持されている。このリブ１４１，１４１，…は、取付部２０を支持すると共に、ノズル１４内を送通される風を整流する作用も有している。
【００９８】
一方、静電霧化器５は、取付部２０の内径と略同じ外径を有し、一端を閉塞した短寸筒状のタンク５４の他端開口部を側面視が略山高帽子形のホルダ５７で水密状に閉止して構成してある。ホルダ５７は、筒状のホルダ本体５７１の一端外周面にタンク５４の外径より大きい外径のフランジ部５７２が設けてあり、ホルダ本体５７１内には搬送体５２が、当該ホルダ本体５７１を貫通する様態で挿嵌してある。フランジ部５７２のタンク５４に対向する面には、タンク５４の開口部に内嵌する環状の第１嵌合部５７３が突設してあり、該第１嵌合部５７３をタンク５４の開口部内に嵌着させて、ホルダ５７とタンク５４とが連結してある。一方、フランジ部５７２のそれとは反対側の面には、前述した取付部２０に内嵌する環状の第２嵌合部５７４が突設してあり、該第２嵌合部５７４を取付部２０の取付孔２２内に嵌着させて、静電霧化器５が取付部２０に着脱可能に取り付けてある。
【００９９】
また、ノズル１４の送入口１４２側周縁部には接続用のピン８０が突設してあり、ピン８０から延設したリード８１の端部は取付部２０の送入口１４２に対向する周縁部に位置させてある。前述したホルダ５７内の搬送体５２に埋設された補助電極５１の基端部は搬送体５２及びホルダ本体５７１の周面を貫通してホルダ５７外へ突出させてあり、静電霧化器５を取付部２０に取り付けるべく、取付孔２２内に挿入した場合、補助電極５１の基端部とリード８１の端部とが接続されるようになっている。
【０１００】
一方、筐体２の送風口１２周縁部には、前記ピン８０が嵌合するピン受端子９０が配設してあり、ノズル１４を本体１に取り付けた場合、ピン８０とピン受端子９０とが接続し、ノズル１４を本体１から取り外した場合、ピン受端子９０からピン８０が抜出する。ピン受端子９０には前述した印加電圧生成回路８から高電圧Ｖｄが与えられるようになっており、高電圧Ｖｄはピン８０及びリード８１を介して静電霧化器５の補助電極５１に印加され、これによって、静電霧化器５はタンク５４から搬送体５２内を搬送された液体を静電的に霧化してイオンミストを取付部２０内へ吐出する。
【０１０１】
このような送風装置にあっては、異なる液体を貯留させた複数の静電霧化器５を予め準備しておき、筐体２からノズル１４を取り外し、ノズル１４の取付部２０から静電霧化器５を抜出した後に、他の静電霧化器５を取付部２０に取り付けることによって、静電霧化器５を交換することができる。また、同様の操作を実施して、新たな静電霧化器５への交換、及び静電霧化器５への液体の補充を行うことができる。なお、後者の場合、取付部２０から抜出した静電霧化器５のホルダ５７をタンク５４から取り外すことによって、タンク５４内に液体を注入する。
【０１０２】
このように静電霧化器５の交換及び静電霧化器５への液体の補充を行う場合、ノズル１４を筐体２から取り外すため、ノズル１４に設けたピン８０と筐体２に設けたピン受端子９０とが分離され、静電霧化器５への給電が遮断されるため、安全性が高い。
【０１０３】
また、ノズル１４内に配設した筒状の取付部２０内にイオンミストが吐出されるため、イオンミストは、取付部２０とノズル１４との間を送通される風で囲繞された様態でノズル１４から送出され、これによって生成したイオンミストが減少することを可及的に防止しすることができる。また、筐体２に取付孔を開設しないため、筐体２からの風漏れを回避することができる。
【０１０４】
なお、本実施の形態では、ノズル１４を本体１の筐体２に着脱可能に取り付け、ノズル１４内の静電霧化器５に給電すべく、ノズル１４に設けたピン８０を本体１の筐体２に設けたピン受端子９０に接続させる、所謂端子接続構造になしてあるが、本発明はこれに限らず、筐体２にコードリールを配設しておき、該コードリールから引き出したコードをノズル１４に接続することによってノズル１４内の静電霧化器５に給電する構成にしてもよい。この場合、筐体２のノズル１４の取付部にスイッチを配設しておき、筐体２からノズル１４が取り外された場合、前記スイッチによって静電霧化器５への給電を停止するようにする。
なお、本発明に係る送風装置は、頭髪の乾燥に使用する所謂ヘアードライヤ以外に、手の乾燥に使用するハンドドライヤ、及び身体の乾燥に使用するボディードライヤ等にも適用し得る。
【図面の簡単な説明】
【０１０５】
【図１】第１の実施形態に係る送風装置の模式的側断面図である。
【図２】図１に示した送風装置において本体と静電霧化器とを分離した状態を示す模式的側断面図である。
【図３】図１に示した静電霧化器の模式的拡大側断面図である。
【図４】図１に示した送風装置の駆動系の一例を示す電気回路図である。
【図５】図４に示した印加電圧生成回路の一例を示す電気回路図である。
【図６】他の搬送体を示す拡大斜視図である。
【図７】第２の実施形態に係る送風装置を示す模式的側断面図である。
【図８】図７に示した静電霧化器の模式的拡大側断面図である。
【図９】第３の実施形態に係る他の静電霧化器の構成を示す模式的側断面図である。
【図１０】第４の実施形態に係る他の静電霧化器の構成を示す模式的側断面図である。
【図１１】第５の実施形態に係る送風装置の構成を示す模式的側断面図である。
【図１２】図１１に示した送風装置において収納部が開いた状態を示す模式的側断面図である。
【図１３】図１１に示した静電霧化器の模式的分解斜視図である。
【図１４】第６の実施形態に係る他の電極部の構成を示す模式的分解斜視図である。
【図１５】図１４の電極部の模式的縦断面図である。
【図１６】第７の実施の形態に係る送風装置を示す模式的側断面図である。
【図１７】図１６に示した送風装置の分解斜視である。
【符号の説明】
【０１０６】
１    本体
２    筐体
３    発熱部
４    送風部
５    静電霧化器
１１    吸気口
１２    送風口
１４    ノズル
１５    把持部
１６    切替スイッチ
１７    電源用コード
２１    支持部材
２２ａ  係合部
３１    ヒータ
４１    モータ
４２    ファン
５０    電極部
５１    補助電極
５２    搬送体
５４    タンク（貯留器）
５５    キャップ
５７    ホルダ
５８    吐出口
５９    注入孔
６１    接続部
【図１】
0004573778.tif 000002
【図２】
0004573778.tif 000003
【図３】
0004573778.tif 000004
【図４】
0004573778.tif 000005
【図５】
0004573778.tif 000006
【図６】
0004573778.tif 000007
【図７】
0004573778.tif 000008
【図８】
0004573778.tif 000009
【図９】
0004573778.tif 000010
【図１０】
0004573778.tif 000011
【図１１】
0004573778.tif 000012
【図１２】
0004573778.tif 000013
【図１３】
0004573778.tif 000014
【図１４】
0004573778.tif 000015
【図１５】
0004573778.tif 000016
【図１６】
0004573778.tif 000017
【図１７】
0004573778.tif 000018